【事件の表示】
　特許第３３４４２１８号「熱交換器」の請求項１、２に係る特許に対する特許異議の申立てについて、次のとおり決定する。
【結　論】
　訂正を認める。
　特許第３３４４２１８号の請求項１に係る特許を取り消す。
【理　由】
１．手続の経緯
　特許第３３４４２１８号の発明についての出願は、平成８年６月１７日に出願され、平成１４年８月３０日にその発明について特許の設定登録がなされ、その後、異議申立人東芝キヤリア株式会社により特許異議申立がなされ、平成１６年２月２５日付け取消理由通知がなされ、その指定期間内である平成１６年５月１０日に特許異議意見書および訂正請求書が提出されたものである。
　
２．訂正の適否についての判断
（１）訂正の内容
　特許権者が求めている訂正の内容は、上記訂正請求書に添付された全文訂正明細書に記載された、以下のａ，ｂのものである。
ａ．特許請求の範囲に記載されていた
「【請求項１】多数のフィンを互いに狭い間隔で積層し、空気の主流方向に複数列並べた状態で前記フィンを直交するように貫通する管群から成る熱交換器で、前記熱交換器が凝縮器として作用する場合に、冷媒配管を複数パスから冷媒出口側で１パスとする配管構成にした熱交換器において、
前記凝縮器の１パスになっている配管部を空気の主流方向の風上側に配置し、前記１パスになっている冷媒配管に隣接する配管であって複数パスになっている冷媒配管と、前記１パスになっている冷媒配管との間にあるフィンにスリットを設けた熱交換器。
【請求項２】多数のフィンを互いに狭い間隔で積層し、空気の主流方向に複数列並べた状態でこれらのフィンを直交するように貫通する管群から成る熱交換器で、前記熱交換器冷媒入口から前記熱交換器冷媒出口に至る配管経路の途中に減圧機能を備えた弁を具備し、熱交換器冷媒入口部から前記弁までを再熱器、この再熱器下部であって前記弁から前記熱交換器冷媒出口までを蒸発器として使用する熱交換器において、
隣接する前記再熱器部分の配管と前記蒸発器部分の配管の間にあるフィンに、スリットを空気の主流方向に設けた熱交換器。」
を、
「【請求項１】
　多数のフィンを互いに狭い間隔で積層し、空気の主流方向に複数列並べた状態で前記フィンを直交するように貫通する管群から成る熱交換器で、前記熱交換器が凝縮器として作用する場合に、冷媒配管を複数パスから冷媒出口側で１パスとする配管構成にした熱交換器において、
前記凝縮器の１パスになっている配管部を空気の主流方向の風上側に配置し、前記１パスになって
おり過冷却状態にある温度の低い冷媒が流れる
おり飽和域で温度の高い冷媒が流れる
に訂正する。
　
ｂ．発明の詳細な説明における段落【０００５】，【０００７】及び【００２４】の記載を削除すると共に、同説明に記載されていた段落【０００４】，【０００６】及び【００１９】の記載をそれぞれ次の通り訂正する　。
「【０００４】
　そこで本発明の目的は
、熱
「【０００５】
【課題を解決するための手段】
　第１の目的は、多数のフィンを互いに狭い間隔で積層し、空気の主流方向に複数列並べた状態で前記フィンを直交するように貫通する管群から成る熱交換器で、前記熱交換器が凝縮器として作用する場合に、冷媒配管を複数パスから冷媒出口側で１パスとする配管構成にした熱交換器において、 前記凝縮器の１パスになっている配管部を空気の主流方向の風上側に配置し、前記１パスになって
おり過冷却状態にある温度の低い冷媒が流れる
おり飽和域で温度の高い冷媒が流れる複数パスになっている
及び、
「【００１７】
　
多
おり過冷却状態にある温度の低い冷媒が流れる
おり飽和域で温度の高い冷媒が流れる複数パスになっている
域の
に訂正する。
　
　
（２）訂正の目的の適否、新規事項の有無及び拡張・変更の存否
イ．ａの訂正について
　上記（１）ａの訂正は、元の請求項１に、限定を付加し、元の請求項１を減縮すると共に、元の請求項２削除するものである。この訂正は、特許請求の範囲の減縮に該当し、願書に添付した明細書及び図面に記載された事項の範囲内においてなされたものであり、また、実質上特許請求の範囲を拡張又は変更するものではない。
　　
ロ．ｂの訂正について
　上記（１）ｂの訂正は、上記ａにおける特許請求の範囲の訂正と整合をとるため、発明の詳細な説明の記載を訂正するものであり、明瞭でない記載の釈明に該当する。
　そして、このｂの訂正は、願書に添付した明細書及び図面に記載された事項の範囲内においてなされたものであり、実質上特許請求の範囲を拡張又は変更するものではない。
　
　
（３）まとめ
　以上のとおりであるから、上記訂正は、特許法第１２０条の４第２項及び同条第３項で準用する特許法第１２６条第２項から第４項までの規定に適合するので、当該訂正を認める。
　
　
３．本件発明
　したがって、本件の請求項１に係る発明は、上記手続補正書に添付された全文訂正明細書の特許請求の範囲の請求項１に記載された事項により特定される下記のとおりのものである。
「【請求項１】
　多数のフィンを互いに狭い間隔で積層し、空気の主流方向に複数列並べた状態で前記フィンを直交するように貫通する管群から成る熱交換器で、前記熱交換器が凝縮器として作用する場合に、冷媒配管を複数パスから冷媒出口側で１パスとする配管構成にした熱交換器において、
前記凝縮器の１パスになっている配管部を空気の主流方向の風上側に配置し、前記１パスになって
おり過冷却状態にある温度の低い冷媒が流れる
おり飽和域で温度の高い冷媒が流れる
　
　
４．特許異議申立理由の概要
　特許異議申立人東芝キヤリア株式会社は、
・甲第１号証：特開平２−２９０４９３号公報
・甲第２号証：特開昭４８−９５６４４号公報
・甲第３号証：特開平７−１５８８８８号公報
を引用し、本件の請求項１に係る発明は、甲第１号証に記載された発明と同一または甲第１号証及び甲第２号証に記載された発明に基づいて容易になされたものであり、また、本件の請求項２に係る発明は、甲第３号証に記載された発明と同一または同号証に記載された発明に基づいて容易になされたものであるから、これらの発明の特許は特許法第２９条第１項または同条第２項の規定に違反してなされたものであり、本件の請求項１及び２に係る発明の特許は取り消されるべきものである旨を述べている。
　
　
５．当審が通知した取消理由通知の概要
　当審が通知した平成１６年２月２５日付け取消理由通知では、
刊行物１：特開平２−２９０４９３号公報（上記甲第１号証と同じ）
刊行物２：特開平３−１９４３７０号公報
刊行物３：特開平６−１９４０００号公報
刊行物４：特開平７−１５８８８８号公報（上記甲第３号証と同じ）
刊行物５：特開平７−２７３６０号公報
刊行物６：実願昭６１−３７８８０号（実開昭６２−１７１７３０号）の
　　　　　マイクロフイルム
刊行物７：特開平６−１８０１４０号公報
刊行物８：実願平１−５１６０７号（実開平２−１４１７７８号）の
　　　　　マイクロフイルム
刊行物９：実願平５−６５９８９号（実開平７−３５９４９号）の
　　　　　ＣＤ−ＲＯＭ
刊行物１０：特開昭４８−９５６４４号公報（上記甲第２号証と同じ）
を引用し、本件の請求項１に係る発明は、その出願前日本国内において頒布された上記刊行物１に記載された発明及び上記刊行物２，３にも記載されている周知技術に基づいて、その出願前にその発明の属する技術の分野における通常の知識を有する者が容易になし得たものであり、また、本件の請求項２に係る発明は、その出願前日本国内において頒布された上記刊行物４及び１０に記載された各発明及び上記刊行物５ないし９にも記載されている周知技術に基づいて、その出願前にその発明の属する技術の分野における通常の知識を有する者が容易になし得たものであるから、請求項１及び２に係る発明の特許は、特許法第２９条第２項の規定に違反してなされたものであって、取り消されるべきものである旨が述べられている。
　
　
　
６．各刊行物記載の発明
（１）当審が通知した取消理由通知で引用した刊行物１に記載された発明
　刊行物１には次のａ．〜ｅ．の記載がある。
ａ．「（課題を解決するための手段）
　本発明は暖房時の空気の流れの上流側に・・・第１の熱交換部を設け、・・・暖房時の空気の流れの下流側に・・・第２の熱交換部を設け、この熱交換部における２本以上のパイプの接続端にそれぞれ２つ以上の吸込口を形成し、・・・た熱交換器にある。
　（作用）
　暖房時にフィンを通過する空気の流れ方向の上流側と下流側に熱的に分割し、かつ、暖房時における熱媒の吸込口を空気流れの下流側に２つ以上設け、上記空気流れの上流側に吐出口を設けることで、熱媒の通過するパイプの直径が小さくても十分な熱交換を行うことができる。
（実施例）
　本発明における一実施例を第１図を参照して説明する。図中に示される熱交換器１０は例えばスプリット型ルームエアコンの室内ユニットに使用されるものであり、横流ファン１１によって強制的に循環される空気が通過するようになっている。
　なお、暖房時において上記横流ファン１１は矢印Ａ，Ｂ，Ｃで示される方向に風を送るようになっている。
　そして、上記熱交換器１０は上記空気の流れ方向の上流側に位置する第１の熱交換部１２と、この第１の熱交換部１２の下流に位置する第２の熱交換部１３とからなっている。上記第１の熱交換部１２は複数枚のフィン１４…が互いに所定間隔をもって左右方向に層状に配列されており、これらのフィン１４…の厚さ方向に複数本のパイプ１５…が貫通状態に結合されている。これらのパイプ１５…は上下方向に所定間隔をもって配列されており、それぞれの端部は左右方向の最端部に位置するフィンに開口されている。
　そして、これらパイプ１５…の端部は上下に位置するどうしが接続管１６…によって連通接続されている。」（刊行物１第２頁左下欄１４行〜第３頁左上欄１８行）
　
ｂ．「上述のように構成された第１の熱交換部１２は暖房時において、上下端側のパイプ１５ａ，１５ｉからそれぞれ熱媒が流れ込み、下側からの熱媒はパイプ１５ｉ，１５ｈ，１５ｇを順次上方に移動し、上記合流部１８を通過してパイプ１５ｃに流入する。
　また、最上端のパイプ１５ａからの熱媒はパイプ１５ｂ，１５ｃと順次降下し上記合流部１８から流れ込む熱媒と合流される。
　そして、この合流された熱媒はパイプ１５ｄ，１５ｅ，１５ｆを順次降下し、吐出口２０が吐出されるようになっている。」（刊行物１第３頁左下欄１〜１２行）
　
ｃ．「以下、上記第２の熱交換部１３の構造について説明する。この第２の熱交換部１３は空気の流れ方向の下流側に位置しており、上記第１の熱交換部１３と同様に複数枚のフィン２１…が所定間隔をもって層状に配列されており、この配列方向に向かって複数本のパイプ２２…が貫通状態に結合されている。これらパイプ２２…は上下方向に所定間隔をもって配列されており、それぞれの端部は左右方向の端部に位置するフィン２１に開口されている。
　　　　　・・・・・
　最上部に位置されるパイプ２２ａの他端側は下側に位置するパイプ２２ｂの他端側に・・・接続管により接続されている。このパイプ２２ｂの一端側は・・・パイプ２２ｃの一端側に接続管１６により接続されている。さらに、このパイプ２２ｃの他端側は・・・接続管によって・・・パイプ２２ｄの他端に接続されている。このパイプ２２ｄの一端は吸込口２３として開口されている。
　また、・・・パイプ２２ｅは一端が上述した吸込口２３同様に吸込口２４が形成されている。さらに、このパイプ２２ｅの他端は・・・パイプ２２ｆの他端に・・・接続管によって接続されている。そして、・・・パイプ２２ｇ，２２ｈ，２２ｉのそれぞれの一端は順次接続管１９によって接続されており、・・・他端も同様に接続管によって接続されている。そして、この第２の熱交換部１３の上下端のそれぞれのパイプ２２ａ，２２ｉは・・・上記第１の熱交換部１２の上下端のパイプ１５ａ，１５ｉに接続されている。
　上述のように構成されることで、上記２つの吸込口２３，２４からそれぞれ吸込まれた熱媒は上方と下方にそれぞれ流れ、第２の熱交換部１３の上下端部から第１の熱交換部１２の上下端にそれぞれ流入される。」（刊行物１第３頁左下欄１３行〜第４頁左上欄１１行）
　
ｄ．「以下、上記熱交換器２０の暖房時における熱交換の状態を従来構造に比較して説明する。従来例で述べた熱交換器１はフィン２…が全体に一体的に設けられているので、熱媒の入口側のフィンの温度と出口側のフィンの温度との差に影響を受けずに、略一定となる。
　　　　　・・・・・
　これに対して、上記熱交換器１０は、２つの吸込口２３，２４から吸込まれる熱媒の温度が上述同様約９０℃である場合に、この熱交換器１０に流入された約２１℃の空気は約５０℃まで上昇される。熱媒の温度は吸込口２３，２４で約９０℃であり。順次吐出側に向かって温度が降下していく。上記パイプ２ａで約６０℃、パイプ１５ｃで約５０℃、そして、吐出口２０で約４０℃となる。ここで、フィン１４…，２１…の温度は上記温度分布に沿って変化している。そして、
吐出口２０近傍では
凝縮温度が約５０℃の熱媒が約４５℃まで冷却される
アンダークールを増大できる
　
ｅ．「さらに、第１の熱交換部１２と第２の熱交換部１３とに分割し、空気の流れ方向に沿って上流側と下流側とに配設し、さらに、上流側に位置する第１の熱交換部１２に吐出口２０を設け、下流側に位置する第２の熱交換部１３に吸込口１３を設けることで、カウンターフロー効果を発生させ、効率の高い熱交換ができる。さらに、各熱交換部１２，１３のそれぞれのフィン１４…、２１…は所定の隙間をもって、分離されているので
スリット効果
　この結果、小風量でも十分な熱交換ができる。」（刊行物１第４頁左下欄４〜１６行）
　
　
（２）当審が通知した取消理由通知で引用した刊行物２に記載された発明
　刊行物２には次のａ．〜ｃ．の記載がある。
ａ．「フィンの風上側半部と風下側半部との間を複数のスリットによって熱的に分離すれば、風上側の熱は、スリット相互間に残されたフィン接続部を通って移動せざるを得ず、熱伝導の経路が狭溢かつ長尺となって熱抵抗が増加し、凝縮器としての熱効率を改善することができる。」（刊行物２第２頁右上欄１９行〜同頁左下欄４行）
　
ｂ．「１５は、フィン１１の風上側半部と風下側半部とを熱的に分離するための複数のスリットであり、ここでは、打抜等によって形成した短冊状の細長い開□として示されている。これらのスリット１５は、フィンの一部である一定の長さの接続部１６を残して縦方向（空気の通過向Ａと直角の方向）に並べて形成される。」（刊行物２第３頁左上欄１４〜２０行）
　
ｃ．「第１表は、幾つかのフィン形態の熱交換器を試作し、・・・熱交換の能力比を実測した・・・ものである。・・・なお、フィン接続部の設定位置の詳細については、第４図を参照願いたい。」（刊行物２第４頁右上欄６〜１２行）
　
　
（３）当審が通知した取消理由通知で引用した刊行物３に記載された発明
　刊行物３には次のａ．の記載がある。
ａ．「【００２３】本実施例に示した伝熱フィンは、図３に示すように、スリット８０がフィン長手方向に沿って全長にわたって形成されているが、風上側半部及び風下側半部とを熱的に分離できる形状であれば、図５に示すように部分スリット８１を設けるようにしても良い。
【００２４】
【発明の効果】本発明では、伝熱フィンの風上側半部及び風下側半部とをスリットによって熱的に分離したことにより、フィンを介して両伝熱管間での不必要な熱移動現象が生じるのを防ぐことができるので、凝縮器および蒸発器としての熱交換性能が改善され、・・・ヒートポンプ型空気調和器の冷房，暖房性能を著しく向上できる。」
　
　
（４）当審が通知した取消理由通知で引用した刊行物１０に記載された発明
　刊行物１０には次のａ．〜ｅ．の記載がある。
ａ．「本発明はルームエアコン等に使用する空冷式の冷媒凝縮器の構造に関するものである。」（刊行物１０第１頁左下欄９，１０行）
　
ｂ．「即ち管内のガス域、飽和域、液域に該当する空気側の
放熱フィンを夫々独立するように切離すことにより、ガス域、飽和域、液域の放熱を効果的に行なわせ
凝縮器の出口液冷媒温度を低くしようとする
　
ｃ．「第３図は本発明の一実施例であり、ガス域に該当する放熱フィン群８と
飽和域に該当する放熱フィン群９、９’と液域に該当する放熱フィン群１０は夫々独立して
　このように各領域を区画したことにより、ガス域の熱はフィンの熱伝導により飽和域に伝導せず、ガス域の放熱フィンは温度が降下しないので、気流への放熱効果が大きくなる。また、
飽和域の熱はフィンの熱伝導により液域に伝導せず、液域の放熱フィンの温度は効率よく低下し
過冷却（Ｃ〜Ｄ間）の大きさを増大させることができる
　
ｄ．「第４図は・・・
飽和域の放熱フィン９と９’を分離したもので
　
ｅ．刊行物１０第３図及び第４図には「気流７」が図示されている。
　
　
　
７．本件の請求項１に係る発明に対する対比，判断
（１）対比
　本件の請求項１に係る発明（以下、「本件発明」という。）と、刊行物１に記載された発明を対比する。
　刊行物１に記載された発明の
・複数本のパイプ１５…及び複数本のパイプ２２…、
・熱媒
・パイプ１５ｄ，１５ｅ，１５ｆ（特に上記引用箇所６．(１)ｂ．参照）
・パイプ２２ｄ→２２ｃ→２２ｂ→パイプ２２ａ→１５ａ→１５ｂ、
　及び、パイプ２２ｅ→２２ｆ→２２ｇ→２２ｈ→２２ｉ→１５ｉ
　→１５ｈ→１５ｇ、
は、本件発明における
・管群、
・冷媒、
・１パス、
・複数パス
にそれぞれ相当すると認められる。
　また、刊行物１の上記引用箇所６．(１)ｄ．後半の、
「・・・上記熱交換器１０は、２つの吸込口２３，２４から吸込まれる熱媒の温度が上述同様約９０℃である場合に、・・・順次吐出側に向かって温度が降下していく。上記パイプ２ａで約６０℃、パイプ１５ｃで約５０℃、そして、吐出口２０で約４０℃となる。・・・そして、
吐出口２０近傍では
凝縮温度が約５０℃の熱媒が約４５℃まで冷却される
アンダークールを増大できる
という記載から、この熱交換器１０では、（本件発明の「１パス」に相当する）「パイプ１５ｄ，１５ｅ，１５ｆ」の流路中で熱媒が過冷却（アンダークール）状態になるのは明らかであり、また、この熱交換器１０が、本件請求項１でいう「凝縮器として作用する」と同じ作用をしているのも明らかである。
　
　
（２）一致点
　したがって、両発明は、
「多数のフィンを互いに狭い間隔で積層し、空気の主流方向に複数列並べた状態で前記フィンを直交するように貫通する管群から成る熱交換器で、前記熱交換器が凝縮器として作用する場合に、冷媒配管を複数パスから冷媒出口側で１パスとする配管構成にした熱交換器において、
前記凝縮器の１パスになっている配管部を空気の主流方向の風上側に配置した熱交換器。」
で一致する。
　
（３）相違点
　本件発明では「前記１パスになっており過冷却状態にある温度の低い冷媒が流れる冷媒配管に隣接する配管であって複数パスになっており飽和域で温度の高い冷媒が流れる冷媒配管と、前記１パスになっている冷媒配管との間にあるフィンにスリットを設け」ている。
　これに対し、刊行物１の熱交換器１０では、上記「パイプ１５ｄ，１５ｅ，１５ｆ」の流路は１パスとなっており、この流路中で上記のように熱媒が過冷却状態となっている。しかし、刊行物１の熱交換器１０では、この流路に隣接する複数パス部分である、上記の、
「パイプ２２ｄ→２２ｃ→２２ｂ→パイプ２２ａ→１５ａ→１５ｂ、及び、パイプ２２ｅ→２２ｆ→２２ｇ→２２ｈ→２２ｉ→１５ｉ→１５ｈ→１５ｇ」
なる配管に、飽和域で温度の高い冷媒が流れ、この配管と、上記１パスとなっている「パイプ１５ｄ，１５ｅ，１５ｆ」なる配管との間にあるフィンにスリットが設けられるようにはなっていない。
　両発明はこの点で相違している。　
　
　
（４）判断
《相違点についての検討》
　過冷却状態の冷媒が流れる配管と、飽和域で温度の高い冷媒（すなわち、凝縮が進行中で気液混合状態にあり、過冷却状態のものより温度が高い冷媒）が流れる配管との間にあるフィンを分離する技術は、例えば、
・実願昭４７−９４７２７号（実開昭４９−５３３５２号）のマイクロ
　フイルム
　（特に、明細書第５頁７〜１３行の、「以上の如くサブクーラーを備えた本考案のクロスフインコイル式凝縮器は、
フイン(５)を凝縮チューブ(３)用のフイン(５ａ)とサブクーラチューブ(４)用フイン(５ｂ)とに分離させたから、
・特開平２−２２３７９１号公報
　（特に、第３頁左下欄５〜１１行の、「この際、各段の小径側伝熱管１１で形成されるパス１１Ａ，１１Ｂ，１１Ｃを通る間に冷媒は
凝縮し
液
過冷却度
　　及び、第３頁右下欄１０〜１３行の、「・・・
このフィン１０は
図示の点線Ｐで示したように分割した
・刊行物１０
　（特に、上記引用箇所６．(４)ｂ〜ｄ参照。）
等にも記載されているように周知のものである。
　
　また、フィンを分離するにあたり、スリットを用いる技術も、例えば、刊行物２，３等にも記載されているように周知の技術にすぎない。
　そして、これらの周知技術を刊行物１の熱交換器１０に組み合わせ、上記相違点における本件発明の構成に到達することは、当業者であれば容易であったと認められる。
　
　
《まとめ》
　したがって、本件発明は、その出願前日本国内において頒布された上記刊行物１に記載された発明に上記の周知技術を組み合わせることにより、その発明の属する技術の分野における通常の知識を有する者が容易になし得たものである。
　
　
　
８．むすび
　以上のとおりであるから、本件発明についての特許は、特許法第２９条第２項の規定に違反してなされたものである。
　したがって、本件発明についての特許は、特許法第１１３条第２号に該当し、取り消されるべきものである。
　よって、結論のとおり決定する。
【異議決定日】
平成１６年５月２０日（２００４．５．２０）
【訂正の要旨】
審決（決定）の【理由】欄参照。
（５４）【発明の名称】
熱交換器
（５７）【特許請求の範囲】
　【請求項１】
　多数のフィンを互いに狭い間隔で積層し、空気の主流方向に複数列並べた状態で前記フィンを直交するように貫通する管群から成る熱交換器で、前記熱交換器が凝縮器として作用する場合に、冷媒配管を複数パスから冷媒出口側で１パスとする配管構成にした熱交換器において、
前記凝縮器の１パスになっている配管部を空気の主流方向の風上側に配置し、前記１パスになって
おり過冷却状態にある温度の低い冷媒が流れる
おり飽和域で温度の高い冷媒が流れる
【発明の詳細な説明】
　【０００１】
　【発明の属する技術分野】
　本発明は熱交換器およびスリットフィンに関する。
　【０００２】
　【従来の技術】
　従来、空気調和機用熱交換器を凝縮器として使用する場合、凝縮性能を向上させるために、フィンに冷媒の過冷却度が大きくとれるような工夫を行っている。例えば、特開平２−６４３９６号公報では図２に示すように複数の冷媒配管列を有するフィンアンドチューブ式熱交換器で、凝縮器として作用するときの冷媒流れが風の流れ２に対して風下側配管列９から風上側配管列１０へと流れる構成となし、フィンの風上側第１の配管列と第２番目の配管列との略中間部に複数箇所の短い切り残し部１１を有する切断線１２を構成した熱交換器を提供している。熱交換器をこのような構成にすることにより、凝縮器として作用する熱交換器の液冷媒部分が他の高温の冷媒と熱的に接触がなくなるため、過冷却度が大きくなり熱交換性能を向上できる。
　【０００３】
　【発明が解決しようとする課題】
　しかし本公知例では、熱交換器の過冷却度を大きくするために、単に熱交換器に切断線を入れて冷媒を空気の流入方向に対して対向流に流すことに留まっており、管内冷媒の流速を増して伝熱を促進する方法については何ら考慮されていない。
　【０００４】
　そこで本発明の目的は
、熱
　【０００５】
　【課題を解決するための手段】
　第１の目的は、多数のフィンを互いに狭い間隔で積層し、空気の主流方向に複数列並べた状態で前記フィンを直交するように貫通する管群から成る熱交換器で、前記熱交換器が凝縮器として作用する場合に、冷媒配管を複数パスから冷媒出口側で１パスとする配管構成にした熱交換器において、前記凝縮器の１パスになっている配管部を空気の主流方向の風上側に配置し、前記１パスになって
おり過冷却状態にある温度の低い冷媒が流れる
おり飽和域で温度の高い冷媒が流れる
　【０００６】
　【発明の実施の形態】
　以下、本発明による一実施例のクロスフィンチューブ型熱交換器を図面を参照しながら説明する。
　【０００７】
　図１は本発明のクロスフィンチューブ型熱交換器の形状を示すものであり、多数のフィン１を互いに狭い間隔で積層し、空気の主流方向２に対してこれらのフィン１を直交するように貫通する管群３から成る熱交換器である。ここで、熱交換器が凝縮器として作用する場合の冷媒の流れは、矢印４方向に流れるようになっている。この構成の熱交換器で、高温のガス冷媒は、空気の主流方向に対して風下側に配置した分岐管５で２パスに分配され、風下側の配管から風上側の配管に流れ合流管６で合流した後、１パスの状態で一定区間熱交換器内を流れることで過冷却状態になり、熱交換器の出口に至る。この時、凝縮器出口方向の最小パス部７は、空気の主流方向２に対して風上側と風下側の配管を熱伝導的に分離するために施したスリット８の風上側に配置することによって、風下側に配置した温度の高い冷媒の影響を過冷却状態の温度の低い冷媒が受けにくくなり、過冷却度が増す。また、図１に示すように、熱交換器出口付近でパスの数を減少させることにより冷媒の流速が増加し、冷媒の熱伝達率が増加することにより過冷却度をさらに大きくすることができ、凝縮器として使用した場合の熱交換器の性能を向上させることができる。
　【０００８】
　続いて、図３は凝縮器として使用した熱交換器の出口配管１３と、それに隣接する空気の主流方向２に対して同列風上側に位置する配管１４との間にあるフィンに熱伝導を遮断するスリット８を空気の主流方向２に設けた構成の熱交換器である。
　【０００９】
　この構成にすることで飽和域の温度の高い冷媒の熱がフィンを伝わって過冷却状態にある温度の低い冷媒に移動するのを防ぐことができるため、過冷却度を増すことができる。
　【００１０】
　さらに図４では、凝縮器として作用する熱交換器の冷媒入口配管を空気の主流方向２に対して風下側の列に配置し、高温ガス冷媒が通過する配管部分１５と、それに隣接する風上側の配管との間にあるフィンに、熱伝導を遮断するスリット８をフィン１の長手方向に設け、熱伝導的に分離した構成となっている。
　【００１１】
　この構成により、風上側に配置した飽和域あるいは過冷却域の冷媒が流れる配管に、高温ガス冷媒の温度が伝わりにくくなり、風上側に配置した飽和域あるいは過冷却域の冷媒の凝縮を促進することができる。これにより、結果的に熱交換器出口における冷媒の過冷却度を増すことができる。また、同様に図５に示すように、高温ガス冷媒の流れる配管付近１５と、それに隣接する空気の主流方向２に対して同列風下側に位置する飽和域の冷媒が流れる配管１６との間にあるフィンに、熱伝導を遮断するスリット８を空気の主流方向２に設けた構成の熱交換器にすることにより、同列風下側に配置した飽和域あるいは過冷却域の冷媒が流れる配管に、高温ガス冷媒の温度が伝わりにくくなり、凝縮性能を向上させることができる。
　【００１２】
　図６は本発明の他の一実施例であり、多数のフィン１を互いに狭い間隔で積層し、空気の主流方向２に複数列並べた状態でこれらのフィン１を直交するように貫通する管群３から成る熱交換器で、熱交換器内冷媒入口から冷媒出口に至る配管経路の途中に減圧機能を備えた弁１７を具備し、冷媒を矢印１８方向に流した場合で、熱交換器冷媒入口部１９から弁１７までを再熱器２０、弁１７から熱交換器冷媒出口部２１までを蒸発器２２として使用することにより、空気の吹き出し温度を下げずに除湿が行える除湿器として使用できるような構成となっている。
　【００１３】
　この構成で、隣接する再熱器２０の配管と蒸発器２２の配管の間にあるフィンに、熱伝導を遮断するスリット８を空気の主流方向２に設けることにより、高温冷媒が流れる再熱器２０から低温冷媒が流れる蒸発器２２へ熱がフィンを伝わって移動するのを妨げることができ、蒸発器２２部分におけるフィン面の温度上昇を防ぎ除湿効率を向上させることができる。
　【００１４】
　図７は切り起こしスリットを設けたフィンを用いた熱交換器に本発明による熱伝導を遮断するスリットを設けた場合の一実施例である。図７で、フィン１には空気側の熱伝達性能を向上させるために、空気流方向２に対して同列の各伝熱管間に切り起こしスリット２３を設けた構成となっている。
　【００１５】
　この構成で、熱伝導を遮断するスリット８を入れる伝熱管間には切り起こしスリット２３を設置しないようにする。これによりスリット８の成形が容易になり、さらにスリット部のフィンがばらつくことによる通風抵抗の増加を防止できる。
　【００１６】
　【発明の効果】
　本発明によるクロスフィンチューブ型熱交換器による効果は以下のようになる。
　【００１７】
　
多
おり過冷却状態にある温度の低い冷媒が流れる
おり飽和域で温度の高い冷媒が流れる
域の
【図面の簡単な説明】
　【図１】本発明の部分分割熱交換器の一実施例の説明図。
　【図２】従来例の熱交換器の一実施例の説明図。
　【図３】本発明の部分分割熱交換器の他の実施例の説明図。
　【図４】本発明の部分分割熱交換器のさらに他の実施例の説明図。
　【図５】本発明の部分分割熱交換器のさらに他の実施例の説明図。
　【図６】再熱器と蒸発器が一体化した熱交換器における部分分割熱交換器の一実施例の説明図。
　【図７】切り起こし付きスリットフィンに熱伝導を遮断するスリットを入れた場合の一実施例の説明図。
　【符号の説明】
　１…フィン、
　２…空気の主流方向、
　３…管、
　４…冷媒の流れ方向、
　５…分岐管、
　６…合流管、
　７…最小パス部、
　８…スリット。